(57)【特許請求の範囲】
【請求項１】
躯体壁に固定される取付面に係止受部及び水平方向に張り出す載置面を設けてなる回り縁が取り付けられた軒先に沿って所定間隔を開けて複数設置され、軒先から水平方向に張出した部分で軒樋下面を支持して軒樋を軒先に固定する軒樋収納ブラケットにおいて、
回り縁の取付面に対応する高さを有する固定面に係止部及び水平方向に張出した張出上面と張出底面とこれら両張出面の間に立設した張出側面とからなる張出部を形成してなる張出ブラケットと、
回り縁よりも上方の躯体壁に固定される取付面の下端に水平方向に張出す連結部を形成してなる補助ブラケットとを有し、
張出ブラケットの張出底面を回り縁の載置面上に設置し、係止部を係止受部に係合させることによって張出ブラケットを回り縁に対して摺動可能に仮固定するとともに、
張出ブラケットの張出上面と補助ブラケットの連結部とにボルトを挿通して両ブラケットを連結し、かつ張出ブラケットを、補助ブラケットによる吊り下げ状とすることによって、
回り縁と張出ブラケットの仮固定状態を維持したまま補助ブラケットを上下移動し取付位置を調整して張出ブラケットの水平方向のレベル調整を可能とした構造を有する軒樋収納ブラケット。
【発明の詳細な説明】
【０００１】
【発明の属する技術分野】
本発明は、軒樋を軒先に固定する際に用いる軒樋収納ブラケットで、水平方向のレベル調節構造を備えた軒樋収納ブラケットに関する。
【０００２】
【従来の技術】
建物の軒先に軒樋を取り付ける軒先構成体としては種々のものが既に知られている。この種の軒先構成体としては、鼻板その他の躯体壁に所定間隔でブラケットを固定し、各ブラケットに軒樋を差し渡すとともに、化粧カバーを外側から被着した構成を有するもの（特開平８−２１８５７８号公報）や、軒樋と化粧カバーとを一体化したもの（特開平７−１３３６５５号公報）等が知られている。
【０００３】
【発明が解決しようとする課題】
ブラケットを固定する躯体壁は、場所によって垂直でない傾斜壁となっていることがあり、この傾斜壁にブラケットを固定するとその先端部分が傾斜してしまうため、躯体壁の傾斜状態に応じてブラケットを傾斜させる必要があった。ところが、従来のブラケットは、固定構造であり、一旦固定してしまうと先端部分の取付角度を調節することができないという構造上の欠点があった。このため、各ブラケットは固定前に躯体壁上を移動させる位置出しをするほかなく、これにより、施工性を低下させるばかりか、施工後にあっては、外観の美観を損なうという問題があったのである。
【０００４】
そこで、本発明は、かかる課題の解決を図るべくなされたものであり、躯体壁の傾斜に応じた水平方向のレベル調節が可能な構造を備えた軒樋収納ブラケットを提供することを目的とするものである。
【０００５】
【課題を解決するための手段】
上記課題の解決を図るべく本発明は、躯体壁に固定される取付面に係止受部及び水平方向に張り出す載置面を設けてなる回り縁が取り付けられた軒先に沿って所定間隔を開けて複数設置され、軒先から水平方向に張出した部分で軒樋下面を支持して軒樋を軒先に固定する軒樋収納ブラケットにおいて、回り縁の取付面に対応する高さを有する固定面に係止部及び水平方向に張出した張出上面と張出底面とこれら両張出面の間に立設した張出側面とからなる張出部を形成してなる張出ブラケットと、回り縁よりも上方の躯体壁に固定される取付面の下端に水平方向に張出す連結部を形成してなる補助ブラケットとを有し、張出ブラケットの張出底面を回り縁の載置面上に設置し、係止部を係止受部に係合させることによって張出ブラケットを回り縁に対して摺動可能に仮固定するとともに、
張出ブラケットの張出上面と補助ブラケットの連結部とにボルトを挿通して両ブラケットを連結し、かつ張出ブラケットを、補助ブラケットによる吊り下げ状とすることによって、回り縁と張出ブラケットの仮固定状態を維持したまま補助ブラケットを上下移動し取付位置を調整して張出ブラケットの水平方向のレベル調整を可能とした構造を有する軒樋収納ブラケットを特徴とするものである。
【０００６】
【発明の実施の形態】
次に、本発明にかかる軒樋収納ブラケットについて、その一例として好適な実施の形態を図面を用いて説明する。
図１は、本発明にかかる軒樋収納ブラケットによって躯体壁に固定した軒先構成体１の斜視図を示したものである。
【０００７】
軒先構成体１は、勾配調整材Ａに所定の鼻隠し２を取り付けるとともに、その上から水切り３を被着し、次いで、躯体壁Ｂに固定した長尺の回り縁４に対して軒樋収納ブラケット５、５・・を所定間隔で設置し、各軒樋収納ブラケット５に軒樋６を差し渡すとともに、化粧カバー７を外側から被着させ、さらに、回り縁４に下側から軒天井８を固定してなるものである。
【０００８】
回り縁４は、躯体壁Ｂへの取付面４ａの上端部を外側に若干長さで折返して係止受部４ｂを形成するとともに、取付面４ａの下端部に適当な幅を有して外側水平方向に張り出す載置面４ｃ及びその下側に軒天井８の嵌合部４ｄを形成してなるものである。
【０００９】
軒樋収納ブラケット５は、図２に示す張出ブラケット９と、補助ブラケット１０とからなるレベル調節構造１１を備え、このレベル調節構造１１を構成する張出ブラケット９に、図２に示す可動ブラケット１２を連結一体化してなるものである。
【００１０】
張出ブラケット９は、取付面４ａの高さに対応する固定面９ａの上端部を係止部９ｂとするとともに、その適宜下側部分から外側水平方向に張出上面９ｃを形成する一方、固定面９ａの下端部に軒樋６を載置し得る幅を有して張出上面９ｃと略平行に張り出す張出底面９ｄを形成するとともに、これと同幅で上面９ｃと底面９ｄとの間に立設状の張出側面９ｅを形成してなるものである。この張出ブラケット９は、補助ブラケット１０との連結に関与する張出部となる張出上面９ｃと、回り縁４に設置するための張出部となる張出底面９ｄとを上下二つの面に分けて形成してある。なお、張出上面９ｃには、張出方向に長い長孔９ｆを、張出側面９ｅには、張出方向に長い長孔９ｇ、９ｇを形成してあり、張出側面９ｅの上縁辺９ｈは、水平でかつ固定面９ａよりも低い高さに形成してある。
【００１１】
補助ブラケット１０は、図３に示すように、張出上面９ｃよりも狭い横幅を有する帯状の部材を適宜折り曲げてコの字状に形成したもので、上面１０ａの内側（奥行）側端部に直角に折り曲げて取付面１０ｂを形成するとともに、その先端部を外側方向直角に折り曲げてなる連結面１０ｃとなし、連結面１０ｃにはボルト孔（または張出方向に長い長孔）１０ｄを設け、かつ先端部を折り曲げて係止部１０ｅを形成してある。
【００１２】
補助ブラケット１０は、連結面１０ｃを張出上面９ｃに載置するとともに、ボルト孔１０ｄ及び長孔９ｆのボルト挿通、ナット締結により、張出ブラケット９と連結一体化でき、これにより、軒樋収納ブラケット５が水平方向のレベル調節可能なレベル調節構造１１、すなわち、後述の如く、軒樋収納ブラケット５を仮固定して暫定的に水平にした状態でのレベル調節を行い、これを確実に水平にすることが可能なレベル調節構造１１を備えたものとなる。そしてさらに、カバー受部１２ａの一側辺に板部１２ｂを形成してなる可動ブラケット１２を、張出側面９ｅに接面させつつボルト連結一体化して軒樋収納ブラケット５となし、この軒樋収納ブラケット５を次のようにして回り縁４に設置する。
【００１３】
先ず各軒樋収納ブラケット５を、係止部９ｂを係止受部４ｂに差し挟むようにして係合させて、予め躯体壁Ｂに設けた墨だし位置に対応して回り縁４上に仮固定し、各軒樋収納ブラケット５間の相互の位置関係などの微調整を行う。この場合、各軒樋収納ブラケット５は、ボルトを緩めて補助ブラケット１０を図４（Ａ）に示す如く左右いずれかの方向に回転させるか、或いは外側にスライドさせるかして張出ブラケット９への固定状態を解除し、その上で、係止部９ｂを係止受部４ｂに係合させる。次いで、補助ブラケット１０の向きを外側に直す（同図Ｂ）。こうすると、勾配調整材Ａが補助ブラケット１０の邪魔にならないようにして軒樋収納ブラケット５を設置することができる。そして、補助ブラケット１０の取付面１０ｂを勾配調整材Ａの外側表面に当接させた状態で、ボルト孔１０ｄと長孔９ｆに挿通したボルトを締めつけて補助ブラケット１０を固定する。このように、軒樋収納ブラケット５は、回り縁４による仮固定が可能なほか、勾配調整材Ａの持ち出しに応じて補助ブラケット１０の取付位置を調節することもできるようになっている。
【００１４】
また、この場合の軒樋収納ブラケット５は、補助ブラケット１０により張出ブラケット９が吊り下げられる恰好となるので、補助ブラケット１０を上下移動させることで軒樋収納ブラケット５の水平方向のレベル調節をすることができる。つまり、図５に示すように、張出底面９ｄに水準器Ｃを載置して補助ブラケット１０を上下移動させると、水準器Ｃを頼りにして張出底面９ｄを水平にするレベル調節が行えるのである。そして、水平状態であることが確認できたら、その時点で取付面１０ｂにビス止めなどして補助ブラケット１０を固定すれば良い。このとき、固定面９ａにもビス止めなどすれば張出ブラケット９を固定することができる。このように、各軒樋収納ブラケット５は、レベル調節を正確に行って確実に水平にした状態で固定することができるのである。こうして、軒樋収納ブラケット５を固定したら、可動ブラケット１２を外側に引き出して上側から軒樋６を嵌め込むと、軒樋６を可動ブラケット１２と補助ブラケット１０とによって両側から把持することができる。その上で、可動ブラケット１２の外側から、カバー受部１２ａに化粧カバー７を被着させれば良い。
【００１５】
【発明の効果】
このように本発明によれば、水平方向のレベル調節構造を備えた軒樋収納ブラケットにより軒樋の取付を行うため、ブラケットを仮固定によって暫定的に水平にし、かつレベル調節構造により正確に水平にした上で設置できる。このため、ブラケットの正確な水平状態を確保するべく、躯体壁上を移動させて位置出しする操作が不要となり、それだけ施工が容易になる。また、勾配調整材の持ち出しに応じて補助ブラケットの取付位置を調節することもできるので、軒樋と躯体壁との間隔を一定にすることができ、設置後にあっては軒樋を確実に水平にすることができるので、外観の美観の向上にもつながる。また、躯体壁への固定は、ブラケットのみならず補助ブラケットによっても行われるので、ブラケットの固定を補強することもできる。
【図面の簡単な説明】
【図１】本発明にかかる軒樋収納ブラケットを用いて固定した軒先構成体の一例を示す斜視図である。
【図２】本発明にかかる軒樋収納ブラケットの一例を示す斜視図である。
【図３】補助ブラケットの一例を示す斜視図である。
【図４】（Ａ）は、本発明にかかる軒樋収納ブラケットの補助ブラケットを外側に回転させた状態、（Ｂ）は、補助ブラケットを外側方向に向けた状態を示す説明図である。
【図５】軒樋収納ブラケットによるレベル調節方法の一例を示す説明図である。
【図６】軒樋収納ブラケットに軒樋を取付けた状態を示す斜視図である。
【符号の説明】
１      軒先構成体
４      回り縁
５      軒樋収納ブラケット
９      張出ブラケット
10      補助ブラケット
11      レベル調節構造
12      可動ブラケット
9c      張出上面
9d      張出底面
9f      長孔
10c     連結面
【図１】
0003782204.tif 000002
【図２】
0003782204.tif 000003
【図３】
0003782204.tif 000004
【図４】
0003782204.tif 000005
【図５】
0003782204.tif 000006
【図６】
0003782204.tif 000007